(57)【要約】【課題】  操作部としてタッチパネルを備えた携帯用電子機器の操作に用いられるタッチペンの操作性を向上させること。【解決手段】  軸部９Ａの先端にペン先部９Ｂを有し、軸部９Ａの基端側の側面に突起部９Ｃを有するタッチペン９を収容保持し、タッチペン９を太さおよび長さを拡大した状態で使用可能とするためのタッチペンホルダＨであって、タッチペン９をそのペン先部９Ｂを先端から突出させた状態で保持する内側第１部材１と、内側第１部材１に套挿される外側第２部材２と、を備え、内側第１部材１は、全体として棒状を呈し、先端にペン先部９Ｂを突出させるためのペン先孔１ｂを有するとともに、ペン先孔１ｂから基端側に連通して軸部９Ａを収容するための、基端側の終端壁１ｃをもつ収容空間１ａを有しており、外側第２部材２は、全体として筒状を呈し、内側第１部材１に対してその基端側から套挿して組み付けられるように構成されている。【選択図】  図２
0003113234.tif 000002
【実用新案登録請求の範囲】
【請求項１】
軸部の先端にペン先部を有し、軸部の基端側の側面に突起部を有するタッチペンを収容保持し、このタッチペンを太さおよび長さを拡大した状態で使用可能とするためのタッチペンホルダであって、
上記タッチペンをそのペン先部を先端から突出させた状態で保持する内側第１部材と、
上記内側第１部材に套挿される外側第２部材と、
を備え、
上記内側第１部材は、全体として棒状を呈し、先端に上記ペン先部を突出させるためのペン先孔を有するとともに、このペン先孔から基端側に連通して上記軸部を収容するための、基端側の終端壁をもつ収容空間を有しており、
上記外側第２部材は、全体として筒状を呈し、上記内側第１部材に対してその基端側から套挿して組み付けられるように構成されていることを特徴とする、タッチペンホルダ。
【請求項２】
上記内側第１部材の上記収容空間は、この内側第１部材の側面に所定長さにわたって開放させられているとともに、上記内側第１部材は、上記収容空間が設けられた部位が屈曲変形容易である、請求項１に記載のタッチペンホルダ。
【請求項３】
上記内側第１部材の上記収容空間の上記終端壁は、基端側に向けて弾性変位可能である、請求項２に記載のタッチペンホルダ。
【請求項４】
上記内側第１部材の上記収容空間には、上記突起部と係合して上記タッチペンの抜けを阻止する係止部が形成されている、請求項３に記載のタッチペンホルダ。
【請求項５】
上記内側第１部材の基端部と上記外側第２部材の基端部とは、上記内側第１部材に上記外側第２部材が套挿されたとき、上記外側第２部材の基端部において、その側部に上記内側第１部材の基端部が露出させられるように形成されている、請求項４に記載のタッチペンホルダ。
【請求項６】
上記外側第２部材の基端部には、ストラップを挿通するための環状部が形成されている、請求項５に記載のタッチペンホルダ。
【請求項７】
上記請求項１ないし６のいずれかに記載のタッチペンホルダと、このタッチペンホルダに収容可能なタッチペンとを備えることを特徴とする、タッチペンホルダとタッチペンのセット。
【考案の詳細な説明】
【技術分野】
【０００１】
本考案は、操作部としてタッチパネルを備えた携帯用電子機器の操作に用いられるタッチペンの操作性を向上させるためのものに関する。
【背景技術】
【０００２】
従来より、操作部としてタッチパネルを備えたゲーム装置や電子手帳などの携帯用電子機器が知られている。これら携帯用電子機器においては、一般的には、タッチパネルに接触させて情報入力などの操作を行うためのタッチペンが付属されている。タッチペンの一例としては、図１０に示すようなものがある。図示されたタッチペン９は、操作者が握るための軸部９Ａと、軸部９Ａの先端に設けられ、タッチパネルに接触させるペン先部９Ｂとを備え、軸部９Ａの基端側の側面には、突起部９Ｃが形成されている。このタッチペン９は、非使用時には、上記電子機器本体に設けられた収納凹部に差し込むことにより収納可能とされており、この収納状態において、突起部９Ｃが上記機器本体から露出するように構成されている。そしてタッチペン９の使用時には、突起部９Ｃを摘み出すことにより、上記機器本体から容易に取り外すことができるものとされている。
【０００３】
ところで、近年における携帯用電子機器の小型化の傾向にともない、これに収納されるタッチペンとしても小型化が求められている。しかしながら、タッチペン９の小型化が進むと、軸部９Ａの太さおよび長さそのものが小さくなる。このことは、タッチペン９を握り難くすることに繋がり、タッチペン９の操作性が低下する要因となりうる。また、タッチペン９の小型化が進むと、紛失し易くなるといった不都合も生じてしまう。
【考案の開示】
【考案が解決しようとする課題】
【０００４】
本考案は、このような事情のもとで考え出されたものであって、操作部としてタッチパネルを備えた携帯用電子機器の操作に用いられるタッチペンの操作性を向上させることを課題としている。
【課題を解決するための手段】
【０００５】
上記の課題を解決するため、本考案では、次の技術的手段を講じている。
【０００６】
本考案の第１の側面によって提供されるタッチペンホルダは、軸部の先端にペン先部を有し、軸部の基端側の側面に突起部を有するタッチペンを収容保持し、このタッチペンを太さおよび長さを拡大した状態で使用可能とするためのタッチペンホルダであって、上記タッチペンをそのペン先部を先端から突出させた状態で保持する内側第１部材と、上記内側第１部材に套挿される外側第２部材と、を備え、上記内側第１部材は、全体として棒状を呈し、先端に上記ペン先部を突出させるためのペン先孔を有するとともに、このペン先孔から基端側に連通して上記軸部を収容するための、基端側の終端壁をもつ収容空間を有しており、上記外側第２部材は、全体として筒状を呈し、上記内側第１部材に対してその基端側から套挿して組み付けられるように構成されていることを特徴としている。
【０００７】
このような構成によれば、内側第１部材においては、タッチペンを、そのペン先部が先端のペン先孔から突出するように収容空間に収容することが可能である。そしてタッチペンが上記収容空間に収容された状態においては、タッチペンのペン先部をタッチパネルなどに接触させることによりタッチペンに対して内側第１部材の基端側に向かう押圧力が作用しても、基端側の終端壁によりタッチペンの基端側への移動が規制され、上記ペン先部の突出状態が適切に維持されることになる。したがって、内側第１部材によれば、タッチペンを適切な姿勢で収容することができる。一方、外側第２部材は、筒状を呈しており、内側第１部材に套挿して組み付けられる。ここで、外側第２部材の外径および長さを所望の寸法に設定することにより、内側第１部材に収容保持されたタッチペンを操作者が握りやすい程度に太さおよび長さを拡大した状態で使用することができる。すなわち、本考案に係るタッチペンホルダを用いれば、タッチペンを太さおよび長さを拡大した状態で適正に使用することが可能となり、タッチペンの操作性を向上させることができる。
【０００８】
本考案の好ましい実施の形態においては、上記内側第１部材の上記収容空間は、この内側第１部材の側面に所定長さにわたって開放させられているとともに、上記内側第１部材は、上記収容空間が設けられた部位が屈曲変形容易である。
【０００９】
このような構成によれば、内側第１部材の収容空間が設けられた部位を屈曲変形させることにより、この内側第１部材の側面を大きく開放させた状態にすることができるので、上記収容空間へのタッチペンの挿脱を内側第１部材の側面から容易に行うことが可能となる。
【００１０】
本考案の好ましい実施の形態においては、上記内側第１部材の上記収容空間の上記終端壁は、基端側に向けて弾性変位可能である。
【００１１】
このような構成によれば、タッチペンホルダに収容されたタッチペンをタッチパネルに接触させる際に、タッチペンのペン先部を介してタッチパネルに伝えられる衝撃力を、内側第１部材の終端壁の基端側への変位により吸収することができる。したがって、携帯用電子機器のタッチパネルが不用意に損傷するといった不具合を抑制することができる。
【００１２】
本考案の好ましい実施の形態においては、上記内側第１部材の上記収容空間には、上記突起部と係合して上記タッチペンの抜けを阻止する係止部が形成されている。
【００１３】
このような構成によれば、内側第１部材の先端側へのタッチペンの移動が規制され、タッチペンのペン先部が内側第１部材から過度に突出することはない。したがって、内側第１部材に対するペン先部の突出状態を適正に維持するうえで好適である。
【００１４】
本考案の好ましい実施の形態においては、上記内側第１部材の基端部と上記外側第２部材の基端部とは、上記内側第１部材に上記外側第２部材が套挿されたとき、上記外側第２部材の基端部において、その側部に上記内側第１部材の基端部が露出させられるように形成されている。
【００１５】
このような構成によれば、外側第２部材の基端部の側部において露出された内側第１部材の基端部を外側第２部材の先端側へ押し出すことにより、内側第１部材の外側第２部材からの取り外しを容易に行うことが可能となる。
【００１６】
本考案の好ましい実施の形態においては、上記外側第２部材の基端部には、ストラップを挿通するための環状部が形成されている。
【００１７】
このような構成によれば、上記環状部にストラップを挿通させておくことにより、このストラップを手首に掛ける、あるいは首に掛けることが可能となる。したがって、タッチペンホルダ、およびこれに収容されるタッチペンの紛失を防止するうえで好適である。
【００１８】
本考案の第２の側面では、上述した本考案の第１の側面において記載したタッチペンホルダと、このタッチペンホルダに収容可能なタッチペンとを備えることを特徴とする、タッチペンホルダとタッチペンのセットが提供される。
【００１９】
このような構成によれば、タッチペンホルダに収容可能なタッチペンがセットとされているため、タッチペンおよびタッチペンホルダを買い求めるような場合には、適合するものを調べて別途購入する必要はなく、使い勝手がよい。また、上記セットは、第１の側面に記載した特徴を有していることから、先に説明したタッチペンホルダの利点を享受することができる。
【００２０】
本考案のその他の特徴および利点は、添付図面を参照して以下に行う詳細な説明によって、より明らかとなろう。
【考案を実施するための最良の形態】
【００２１】
以下、本考案の好ましい実施の形態について、図面を参照して具体的に説明する。
【００２２】
図１は、本考案に係るタッチペンホルダと、このタッチペンホルダに収容可能なタッチペンとの使用状態の一例を示す平面図である。図２は、図１のII−II線に沿う断面図である。図３は、図１に示したタッチペンホルダを構成する内側第１部材の平面図である。図４は、図３のIV−IV線に沿う断面図である。図５は、図１に示したタッチペンホルダを構成する外側第２部材の平面図である。図６は、図５のVI−VI線に沿う断面図である。
【００２３】
図１に表されたタッチペン９は、従来例として説明した図１０に表されたものと同様の構成を有している。すなわち、タッチペン９は、棒状を呈する軸部９Ａと、軸部９Ａの先端に設けられたペン先部９Ｂとを備え、軸部９Ａの基端側の側面には、突起部９Ｃが形成されている。このような構成のタッチペン９は、操作部としてタッチパネルを備えたゲーム装置や電子手帳などの携帯用電子機器に設けられた収納凹部に収納しうるように、軸部９Ａの外径および長さが比較的小さいものとされている。
【００２４】
図１および図２に表れているように、タッチペンホルダＨは、内側第１部材１および外側第２部材２とから構成されている。
【００２５】
内側第１部材１は、軸部１Ａと、先端部１Ｂと、基端部１Ｃとを備え、たとえばポリエチレン樹脂などの軟質樹脂材料により一体的に形成されている。軸部１Ａは、後述する収容空間１ａなどの中空部分を有する略円柱形状とされている。先端部１Ｂは、軸部１Ａの一端に設けられている。この先端部１Ｂの軸部１Ａとの境界部は、軸部１Ａより大径とされており、このことにより当該境界部には段部が形成されている。基端部１Ｃは、軸部１Ａの他端に設けられ、軸部１Ａの外径よりも小さな外径を有する略円柱形状とされている。
【００２６】
図３および図４に表れているように、内側第１部材１の軸部１Ａおよび先端部１Ｂには、タッチペンを収容するための円筒内面状の収容空間１ａが形成されている。この収容空間１ａは、タッチペン９の軸部９Ａの外径および長さに対応した内径および長さを有しており、先端側においては、タッチペン９のペン先部９Ｂを突出させるためのペン先孔１ｂとして開口するとともに、基端側においては、所定位置に終端壁１ｃを有している。軸部１Ａの側面には、収容空間１ａを所定長さにわたって開放させるための第１開口１ｄが形成されている。このことにより、軸部１Ａは、収容空間１ａが設けられた部位が屈曲変形容易とされている。第１開口１ｄの長さ方向に沿う一定部位の対向する箇所には、一対の突起１ｅが突出形成されている。この突起１ｅは、タッチペン９が収容空間１ａから外れるのを防止するためのものであり、突起１ｅの対向間隔は、タッチペン９の外径よりも小さくされている。また、収容空間１ａには、第１開口１ｄと反対側の箇所において、タッチペン９の突起部９Ｃのサイズに対応するサイズの第２開口１ｆが形成されている。この第２開口１ｆにおける軸部１Ａの先端側の内側端壁は、タッチペン９の突起部９Ｃと係合してタッチペン９の抜け出しを阻止する係止部１ｇである。軸部１Ａの収容空間１ａの基端側には、収容空間１ａに近接して貫通孔１ｈが形成されており、終端壁１ｃと貫通孔１ｈとの間の厚みは、小さくされている。これにより、終端壁１ｃは、基端側に向けて弾性変位可能となっている。軸部１Ａの先端側には、長さ方向に沿う複数のリブ１ｋが突出形成されている。
【００２７】
図５および図６に表れているように、外側第２部材２は、筒部２Ａと、基端部２Ｂと、環状部２Ｃとを備え、たとえばＡＢＳ樹脂などの硬質樹脂材料により一体的に形成されている。筒部２Ａは、円筒状を呈しており、その内径が内側第１部材１の軸部１Ａの外径よりも大とされている。筒部２Ａの外径および長さは、操作者が握りやすい程度の所望の寸法に設定されている。基端部２Ｂは、筒部２Ａの一端に設けられ、内側第１部材１の基端部１Ｃの外径に対応した内径を有する円筒状の部分と、この円筒状の部分から延出する半円筒状の部分とを有している。環状部２Ｃは、基端部２Ｂから延出するとともに、閉じるように形成されている。
【００２８】
次に、上述の如く構成されたタッチペンホルダＨの使用方法について図１、図２および図７〜図９を参照して説明する。
【００２９】
このタッチペンホルダＨを使用する際には、まず、タッチペン９を内側第１部材１に取り付ける。具体的には、図７に示すように、内側第１部材１を第１開口１ｄ側が伸展するように屈曲変形させ（矢印Ａ参照）、タッチペン９を、第１開口１ｄを通じてペン先部９Ｂがペン先孔１ｂから突出するようにして収容空間１ａに収容させる（矢印Ｂ参照）。そして、タッチペン９の突起部９Ｃが第２開口１ｆに臨むように内側第１部材１を元の真直ぐな状態に戻す。このとき、図８に示すように、内側第１部材１は、タッチペン９によって突起１ｅ部分において幅方向に押し拡げられながら収容空間１ａに収容される。そしてタッチペン９が収容空間１ａに完全に収容されると、突起１ｅの対向間隔は元の狭い状態に戻るので、第１開口１ｄを通じて収容空間１ａからタッチペン９が不用意に外れるといった不具合は適切に防止される。このようにして、内側第１部材１の収容空間１ａが設けられた部位を屈曲変形させることにより、内側第１部材１の第１開口１ｄを大きく開放させた状態にすることができるため、収容空間１ａへのタッチペン９の取り付けをこの第１開口１ｄを通じて容易に行うことができる。なお、タッチペン９を内側第１部材１から取り外す場合には、上記と同様にして内側第１部材１を屈曲変形させれば、容易にタッチペン９の取り外しを行うことができる。
【００３０】
次いで、外側第２部材２を内側第１部材１の基端側から套挿して、外側第２部材２の先端を内側第１部材１の段部に当接させる。これにより、タッチペンホルダＨの組み付けが完了する（図１および図２参照）。このとき、内側第１部材１の軸部１Ａの先端側に設けられたリブ１ｋは、外側第２部材２の筒部２Ａの内周面と摩擦接触している。これにより、内側第１部材１と外側第２部材２との組み付け状態は維持されており、内側第１部材１が外側第２部材２から不用意に脱落することはない。また、外側第２部材２の基端部２Ｂにおいては、半円筒状の部分の側部に内側第１部材１の基端部１Ｃが露出している。このため、基端部１Ｃの露出した部分を先端側に指で押し出すだけで、内側第１部材１を外側第２部材から取り外すことができ、この取り外し作業は容易化される。
【００３１】
本実施形態におけるタッチペンホルダＨにおいては、外側第２部材２の外径および長さを所望の寸法に設定しておくことにより、内側第１部材１に収容保持されたタッチペン９を操作者が握りやすい程度に太さおよび長さを拡大した状態で使用することができる。そしてタッチペン９のペン先部９Ｂを携帯用電子機器のタッチパネルに接触させても、収容空間１ａの終端壁１ｃによりタッチペン９の内側第１部材１基端側への移動が規制されるため、内側第１部材１に対するペン先部９Ｂの突出状態は適正に維持される。また、内側第１部材１には、タッチペン９の突起部９Ｃと係合する係止部１ｇが形成されているため、内側第１部材１の先端側へのタッチペン９の移動が規制され、ペン先部９Ｂが内側第１部材１から過度に突出することはない。このようなことから理解されるように、タッチペンホルダＨを利用すれば、タッチペン９を、その太さおよび長さを拡大した状態で適正に使用することが可能となり、タッチペン９の操作性が向上する。
【００３２】
また、タッチペン９においては、そのサイズが小さくされていても、使用するに際してタッチペンホルダＨに収容させておくことにより、大きいサイズのものとして取り扱うことができる。したがって、タッチペンホルダＨを利用すれば、タッチペン９の紛失を防止するといった効果をも期待することができる。
【００３３】
タッチペン９を上記タッチパネルに接触させる際に、ペン先部９Ｂが勢いよく上記タッチパネルに当たる場合がある。このような場合でも、図９において仮想線で表されているように、内側第１部材１の終端壁１ｃが基端側に向けて弾性変位可能であるため、タッチペンホルダＨに収容されたタッチペン９のペン先部９Ｂを介してタッチパネルに伝えられる衝撃力を、終端壁１ｃの基端側への変位によって吸収することができる。したがって、タッチペンホルダＨを利用すれば、ペン先部９Ｂとの当接により上記タッチパネルが損傷するといった不具合は抑制される。
【００３４】
また、タッチペンホルダＨにおいては、外側第２部材には環状部２Ｃが設けられているため、この環状部２Ｃにストラップを挿通させておくことにより、当該ストラップを手首に掛ける、あるいは首に掛けるといった使用が可能となる。したがって、タッチペンホルダＨ、およびこれに収容されるタッチペン９の紛失を防止するうえで、より好適である。
【００３５】
なお、上記構成のタッチペンホルダＨと、このタッチペンホルダＨに収容可能なタッチペン９とを組み合わせ、セットとして取り扱うこともできる。このようなセットにしておくと、タッチペン９およびタッチペンホルダＨを同時に買い求めるような場合でも、互いに適合するものを調べて別途購入する必要はなく、使い勝手がよくなる。
【００３６】
以上、本考案の具体的な実施形態を説明したが、本考案はこれに限定されるものではなく、考案の思想から逸脱しない範囲内で種々な変更が可能である。本発明に係るタッチペンホルダを構成する各部材の具体的な形状や材質なども限定されるものではない。
【図面の簡単な説明】
【００３７】
【図１】本考案に係るタッチペンホルダと、このタッチペンホルダに収容可能なタッチペンとの使用状態の一例を示す平面図である。
【図２】図１のII−II線に沿う断面図である。
【図３】図１に示したタッチペンホルダを構成する内側第１部材の平面図である。
【図４】図３のIV−IV線に沿う断面図である。
【図５】図１に示したタッチペンホルダを構成する外側第２部材の平面図である。
【図６】図５のVI−VI線に沿う断面図である。
【図７】本考案に係るタッチペンホルダの使用方法を説明するための要部斜視図である。
【図８】本考案に係るタッチペンホルダの使用方法を説明するための要部平面図である。
【図９】本考案に係るタッチペンホルダの使用方法を説明するための要部断面図である。
【図１０】タッチペンの一例を示す斜視図である。
【符号の説明】
【００３８】
Ｈ      タッチペンホルダ
１      内側第１部材
１Ｃ    基端部
１ａ    収容空間
１ｂ    ペン先孔
１ｃ    終端壁
１ｇ    係止部
２      外側第２部材
２Ｂ    基端部
２Ｃ    環状部
【図１】
0003113234.tif 000003
【図２】
0003113234.tif 000004
【図３】
0003113234.tif 000005
【図４】
0003113234.tif 000006
【図５】
0003113234.tif 000007
【図６】
0003113234.tif 000008
【図７】
0003113234.tif 000009
【図８】
0003113234.tif 000010
【図９】
0003113234.tif 000011
【図１０】
0003113234.tif 000012